(57)【特許請求の範囲】
【請求項１】
少なくとも１対のベルトと固定部材とを有し、
前記ベルトは、靴紐の孔に固定される第１の固定部と、面ファスナーを備える第１の面と、を有し、
前記固定部材は、靴紐の孔に固定される第２の固定部と、前記ベルトを通すことができる大きさの長孔と、を有し、
前記面ファスナーは、前記ベルトを前記長孔に通して前記第１の面を折り返したときに、前記第１の面の対向する部分を接合可能とし、
前記第１の固定部及び前記第２の固定部は、それぞれ２つの貫通孔を有し、
前記２つの貫通孔は、靴本体に形成された靴紐の孔の間隔に合う所定の間隔を有し、
前記貫通孔と前記靴紐の孔とを通って前記第１の固定部及び前記第２の固定部を前記靴紐の孔に固定する固定具をさらに有し、
前記ベルトは、前記第１の固定部とは反対側の端部に、前記ベルトを切断するための目印が所定間隔で複数形成され、
前記目印は、縫い目によって形成されることを特徴とする、靴用締結具。
【請求項２】
請求項１の靴用締結具が靴本体に固定され、
前記ベルトを前記長孔に通すと共に、前記第１の面を内側にして折り返し、前記第１の面の対向する部分を前記面ファスナーで接合可能としたことを特徴とする、靴。
【発明の詳細な説明】
【技術分野】
【０００１】
本発明は、靴用締結具及びその靴用締結具を用いた靴に関するものである。
【背景技術】
【０００２】
従来、靴を履いた際に、靴と足との密着性を高めるために、ベルトタイプの締結具が提案されている（例えば、特許文献１〜９）。
【０００３】
特許文献１〜３は、ベルトを靴本体に接着または縫い付けて固定している。通常、靴本体は厚く丈夫な素材で構成されており、市販の靴に後からベルトを縫い付けることは困難であり、現実的ではない。
【０００４】
また、靴から着脱が可能なベルトとして、特許文献４〜７があるが、これらはいずれもパンプスのようなヒールの高い靴に用いるものである。このようなベルトは、靴底から足の甲にかけてベルトを巻きつけるようにするため、靴底側が汚れやすく、傷みやすいという問題があり、しかも靴底が平らな靴には使用できないため汎用性に劣る。
【０００５】
さらに、靴から着脱が可能なベルトとして、特許文献８、９があるが、これらもベルトを着脱するために、面ファスナーを靴本体に縫い付けている。上述の通り、このような面ファスナーを市販の靴に後付けすることは困難である。
【０００６】
また、ベルトタイプの締結具ではないが、靴紐の孔を利用した締結具が提案されている（例えば、特許文献１０）。この提案では、全ての靴紐の孔にバネ付きの金具を固定し、２つ又は３つの引付けプレートを折り畳み又は引き寄せ合い、回転式の金具で固定するというものである。しかしながら、この提案によれば、引付けプレートは常に一定の位置で固定されるため、締め付け強さは常に一定であり、使用者に合わせた締め付け強さを調節することができない。また、この提案のように、小さな回転式の金具で着脱時に開放／固定するのは靴紐の不自由さとあまり差がない。
【０００７】
これらの靴用の締結具に共通するのは、市販の靴の多くが紐靴であり、紐を結んだり解いたりする煩わしさを解消したいという要望に応えようとするものである。
【０００８】
また、靴紐を履いたり脱いだりする際に不自由を感じる人も多く存在する。例えば高齢者や子ども、もしくは手指の巧緻性に何らかの問題を抱えている人にとっては、靴紐の締結動作が困難な場合がある。高齢者においては、前屈みでの締結動作が困難なことが多く、靴紐を緩めて履くことでバランスを崩し転倒する危険が高くなる。また子どもの場合には靴紐を正しく締めずに履くと靴の中で足が動いてしまい、無意識のうちに足趾の変形を来すことや、足趾の機能的な使い方ができなくなって足のアーチバランスを崩し、足の正しい成長を害することにつながることも考えられる。
【０００９】
このような場合、ベルトの付いた靴が好適であるが、市販されているベルトの付いた靴の場合にはデザインも限られ、紐靴に比べ圧倒的に品数が少ない。また履く人の足に合ったベルト付きの靴を専門家に作成してもらうこともできるが、その場合には診断書が必要になることや、靴の作成期間が長く必要となることがあり、また価格的にも高額になる場合がある。特に成長期の子どもにおいて、その都度専門家に依頼することは経済的負担も大きくなり、限られた色やデザインのものを用意し続けなければならないという現状がある。
【００１０】
サイズもデザインも豊富で手頃な価格で用意されている市販の紐靴を利用しながら、紐を結んだり解いたりする煩わしさから解放することで多くの人が不自由なく使用することができれば、このような人たちにとっても金銭的な負担を軽減することができると共に、使用者の足に合った適切な靴を用意することができると考えられる。
【先行技術文献】
【特許文献】
【００１１】
【特許文献１】特開２０１３−２３３３９８号公報
【特許文献２】実用新案登録第３０８７６８０号公報
【特許文献３】実開平０７−１８６１３号公報
【特許文献４】特開２０１３−１０６９２１号公報
【特許文献５】特開２０１１−１５９０７号公報
【特許文献６】特開２００６−１０２４１７号公報
【特許文献７】実開平０５−１５８１０号公報
【特許文献８】特開２００６−２１２１３４号公報
【特許文献９】特開２００６−６８４３６号公報
【特許文献１０】特開２００３−３０６号公報
【発明の概要】
【発明が解決しようとする課題】
【００１２】
そこで、本願発明は、市販の紐靴に取り付けることができると共に、足と靴とを容易に密着させることができる靴用締結具及びそれを用いた靴を提供することを目的とする。
【課題を解決するための手段】
【００１３】
［適用例１］
本適用例に係る靴用締結具は、
少なくとも１対のベルトと固定部材とを有し、
前記ベルトは、靴紐の孔に固定される第１の固定部と、面ファスナーを備える第１の面
と、を有し、
前記固定部材は、靴紐の孔に固定される第２の固定部と、前記ベルトを通すことができる大きさの長孔と、を有し、
前記面ファスナーは、前記ベルトを前記長孔に通して前記第１の面を折り返したときに、前記第１の面の対向する部分を接合可能とし、
前記第１の固定部及び前記第２の固定部は、それぞれ２つの貫通孔を有し、
前記２つの貫通孔は、靴本体に形成された靴紐の孔の間隔に合う所定の間隔を有し、
前記貫通孔と前記靴紐の孔とを通って前記第１の固定部及び前記第２の固定部を前記靴紐の孔に固定する固定具をさらに有し、
前記ベルトは、前記第１の固定部とは反対側の端部に、前記ベルトを切断するための目印が所定間隔で複数形成され、
前記目印は、縫い目によって形成されることを特徴とする。
【００１４】
本適用例によれば、靴紐の孔にベルトと固定部材とを靴紐の孔に固定することができるので、市販の紐靴に取り付けることができる。また、本適用例によれば、靴締結具を靴に固定した際に、長孔に通したベルトを折り返して面ファスナーで接合することで靴と足とを容易に密着させることができる。
【００１６】
本適用例によれば、２つの貫通孔を利用して固定具で靴紐の孔に固定することで、ベルトと固定部材の位置決めを容易に行うことができる。
【００１８】
本適用例によれば、ベルトの長さを使用者の足に合わせて容易に調節することができる。
【００１９】
［適用例４］
本適用例に係る靴は、
前記適用例の靴用締結具が靴本体に固定され、
前記ベルトを前記長孔に通すと共に、前記第１の面を内側にして折り返し、前記第１の面の対向する部分を前記面ファスナーで接合可能としたことを特徴とする。
【００２０】
本適用例によれば、ベルトと固定部材とを靴紐の孔に固定することができるので、市販の靴に取り付けることができる。また、本適用例によれば、足を靴に容易に密着させることができる。
【発明の効果】
【００２１】
本発明に係る靴用締結具によれば、市販の紐靴に取り付けることができると共に、足と靴とを容易に密着させることができる。また、本発明にかかる靴用締結具を用いた靴によれば、市販の紐靴を利用することができると共に、足と靴とを容易に密着させることができる。
【図面の簡単な説明】
【００２２】
【図１】実施形態に係る靴用締結具の平面図である。
【図２】実施形態に係る靴用締結具の側面図である。
【図３】右足用の靴の靴本体の平面図である。
【図４】実施形態に係る靴用締結具が固定された右足用の靴の平面図である。
【図５】実施形態に係る靴用締結具の使用方法を説明するＶ−Ｖ断面図である。
【図６】実施形態に係る靴用締結具のベルトの背面図である。
【発明を実施するための形態】
【００２３】
以下、本発明の実施の形態について図面を参照しながら詳細に説明する。
【００２４】
本発明の一実施の形態に係る靴用締結具は、少なくとも１対のベルトと固定部材とを有し、前記ベルトは、靴紐の孔に固定される第１の固定部と、面ファスナーを備える第１の面と、を有し、前記固定部材は、靴紐の孔に固定される第２の固定部と、前記ベルトを通すことができる大きさの長孔と、を有し、前記面ファスナーは、前記ベルトを前記長孔に通して前記第１の面を折り返したときに、前記第１の面の対向する部分を接合可能とし、前記第１の固定部及び前記第２の固定部は、それぞれ２つの貫通孔を有し、前記２つの貫通孔は、靴本体に形成された靴紐の孔の間隔に合う所定の間隔を有し、前記貫通孔と前記靴紐の孔とを通って前記第１の固定部及び前記第２の固定部を前記靴紐の孔に固定する固定具をさらに有し、前記ベルトは、前記第１の固定部とは反対側の端部に、前記ベルトを切断するための目印が所定間隔で複数形成され、前記目印は、縫い目によって形成されることを特徴とする。
【００２５】
１．靴用締結具
図１及び図２を用いて、本実施形態に係る靴用締結具（以下、単に「締結具」という）２について説明する。図１は、実施形態に係る締結具２の平面図であり、図２は、実施形態に係る締結具２の側面図である。
【００２６】
図１及び図２に示すように、締結具２は、少なくとも１対のベルト２０と固定部材３０とを有する。
【００２７】
［ベルト］
ベルト２０は、図示しない靴紐の孔に固定される第１の固定部２６と、面ファスナー２
４を備える第１の面２２と、を有する。
【００２８】
ベルト２０は、比較的軟らかくて丈夫な合成皮革、天然皮革、布などを採用することができる。
【００２９】
面ファスナー２４は、ベルト２０の長手方向の中心線Ｓの第１の固定部２６側に設けられたフック状に起毛されたフック部２４０と、中心線Ｓの先端部２８側に設けられたループ状に密集して起毛されたループ部２４２と、を有する。面ファスナー２４は、フック部２４０にループ部２４２を押し付けることで接合可能である。したがって、ベルト２０で靴を締め付ける際に、ベルト２０を第１の面２２を内側にして折り返してフック部２４０とループ部２４２とが対面する。面ファスナー２４は、対向した面の垂直方向における接合強度（剥離強度）が比較的弱く、容易に接合したり、剥がしたりすることができるが、対向した面の水平方向における接合強度（剪断強度）は高く、接合状態を確実に維持することができる。
【００３０】
フック部２４０は、ループ部２４２に比べてベルト２０の長手方向における幅が短く、その端部は中心線Ｓよりも第１の固定部２６寄りの領域にある。そして、ループ部２４２は、中心線Ｓを超えて第１の固定部２６寄りの領域まで延在している。したがって、中心線Ｓを超えて第１の固定部２６寄りの位置でベルト２０を折り返しても、面ファスナー２４の接合する面積を十分に確保することができる。
【００３１】
なお、面ファスナー２４は、第１の面２２を内側にして折り返したときに対向する面同士が接合する構造であればよく、上記の構成に限定されるものではない。例えば、フックとループ両方が混在して植え込まれているもの、ループの代わりに茸状に起毛されているもの、ループの代わりに鋸歯状のものなどでもよい。
【００３２】
第１の固定部２６は、ベルト２０の一方の端に形成される。第１の固定部２６は、靴紐の孔に固定するための２つの貫通孔２６０，２６２を有する。貫通孔２６０と貫通孔２６２との間隔は、靴紐の孔の間隔に合うように所定の間隔を有して予め開口している。本発明者の研究の成果によれば、市販されている靴における靴紐の孔の間隔は、靴のサイズが大きくなると靴紐の間隔が大きくなる傾向があるものの、靴のサイズが同程度であればデザインの制約から差はほとんど無いことがわかっている。そのため、貫通孔２６０，２６２の間隔が複数種類、例えば、３種類程度のベルト２０を用意しておけば足りる。
【００３３】
このように、第１の固定部２６が２つの貫通孔２６０，２６２を、固定具４０で２つの靴紐の孔に固定することで、ベルト２０と固定部材３０の位置決めを容易に行うことができる。すなわち、２つの貫通孔２６０，２６２を有することで、２つの靴紐の孔に固定すれば必ず一定の方向を向くので、靴に対するベルト２０の位置決めが容易になる。
【００３４】
ベルト２０における第１の固定部２６とは反対側の端部は、先端部２８である。先端部２８は、使用者が指でつかみやすいように円弧状である。靴を履く使用者は、先端部２８付近をつかんで面ファスナー２４を接合したり、剥がしたりする。
【００３５】
［固定部］
固定部材３０は、靴紐の孔に固定される第２の固定部３６と、ベルト２０を通すことができる大きさの長孔３２と、を有する。
【００３６】
第２の固定部３６は、第１の固定部２６と同様の構成を採用することができる。第２の固定部３６は、固定部材３０の一方の端に形成され、２つの貫通孔３６０，３６２を有する。したがって、第２の固定部３６は、第１の固定部２６と同様に、靴に対する固定部材３０の位置決めを容易に行うことができる。なお、第２の固定部３６は、これに限らず、用途に応じて１つの貫通孔としてもよいし、３つ以上の貫通孔としてもよい。
【００３７】
固定部材３０の他方の端には、長孔３２を形成するための環状部材３４が支持されている。環状部材３４は、外形が略矩形状の金属製のリングとすることができる。
【００３８】
固定部材３０は、比較的軟らかくて丈夫な合成皮革、天然皮革、布などを採用することができる。図２に示すように、固定部材３０は、環状部材３４の一辺を巻き込むように挟み込んで、環状部材３４と接する部分以外の対向する面を接着剤で接合している。したがって、環状部材３４は、固定部材３０に対して回動可能に支持される。
【００３９】
［固定具］
貫通孔２６０，２６２，３６０，３６２と靴本体に形成された靴紐の孔１６，１８とを通って第１の固定部２６及び第２の固定部３６を靴紐の孔１６，１８に固定する固定具４０をさらに有することができる。
【００４０】
固定具４０は、ベルト２０及び固定部材３０を靴紐の孔１６，１８に確実に固定することができるものであれば、公知の固定手段を適宜採用することができる。本実施の形態においては、貫通孔２６０，２６２，３６０，３６２と靴紐の孔１６，１８とを連通させた状態で、この両方の孔を貫通するカシメ構造を採用している。固定具４０は、湾曲した頭部を有するカシメ頭（雌部材）４２と、カシメ頭４２の中に入り込む棒状部分を有するカシメ足（雄部材）４４と、を有する。
【００４１】
固定具４０による固定方法について、ベルト２０を例に説明すると、まず、ベルト２０の貫通孔２６０，２６２を靴本体の靴紐の孔１８に合わせて、両孔が連通するように配置する。次に、カシメ足４４を両孔を貫通するように配置し、カシメ足４４の棒状部分を受け入れるようにカシメ頭４２を乗せ、カシメ用の工具（例えば、手打ち棒かハンドプレス）でカシメ頭４２を叩き、カシメ足４４の棒状部分がカシメ頭４２の内部でつぶれるように広がり、カシメ頭４２とカシメ足４４が結合する。
【００４２】
固定具４０は、両孔を貫通する棒状又は筒状の部材によって水平方向への移動を制限し、第１の固定部２６と靴本体とが離れないように固定するものであれば、他の構成、例えば、リベット、ハトメなどを採用してもよい。このように、２つの貫通孔２６０，２６２を利用して固定具４０で２つの靴紐の孔１８に固定することで、ベルト２０を靴に容易に位置決めすることができる。また、固定部材３０もベルト２０と同様に固定することで、ベルト２０と固定部材３０との相対的な位置決めを容易に行うことができる。
【００４３】
２．靴
図３及び図４を用いて、靴１と締結具２について説明する。図３は、右足用の靴１の靴本体７の平面図である。図４は、実施形態に係る締結具２が固定された右足用の靴１の平面図である。なお、左足用の靴の説明については、右足用の靴１と対称であるので省略する。
【００４４】
図４に示す靴１は、図３に示す図示しない靴底及び甲被４を有する靴本体７に締結具２が固定されている。靴本体７は、一般的な甲被４に開口する甲被開口部１０を図示しない靴紐（靴紐を抜き取った状態を示している）で締める構造を有するスニーカーである。
【００４５】
靴本体７は、甲被開口部１０の後ろ側に足入れ部３を有する。甲被４は、甲被開口部１０の前方に設けられた舌片６を挟んだ両側に、右足の内側に対応する内側縁部１２と外側に対応する外側縁部１４とを有する。
【００４６】
内側縁部１２及び外側縁部１４は、舌片６に臨む端部沿って靴紐を通すための靴紐の孔１６、１８が複数（この例では６個）等間隔に開口して設けられている。靴紐の孔１６，１８は、甲被４を貫通するように形成されている。一般に、内側縁部１２及び外側縁部１４における靴紐の孔１６，１８の周囲は補強用の生地が重ねられており、他の甲被４の部分よりも高い強度を有している。したがって、市販の靴を購入してこの部分に孔を開ける作業は困難であるが、この様にすでに開いている靴紐の孔１６，１８を利用することは作業の簡便さからも有利である。
【００４７】
図４に示すように、靴１は、一対の締結具２を２組使用して甲被４に固定している。したがって、左足用の靴も考慮すれば、一足について、４対の締結具２を使用することになる。
【００４８】
この例では、つま先側から２番目と３番目の靴紐の孔１６，１８と、５番目と６番目の靴紐の孔１６，１８を使って締結具２を靴１に固定している。
【００４９】
固定部材３０の第２の固定部３６は、カシメを用いた固定具４０によって内側縁部１２の靴紐の孔１６に固定される。
【００５０】
ベルト２０の第１の固定部２６は、カシメを用いた固定具４０によって外側縁部１４の靴紐の孔１８に固定される。固定具４０による固定方法は上述した通りである。
【００５１】
ベルト２０を固定部材３０の長孔３２に通して折り返し、第１の面２２の対向する部分を重ね合わせて面ファスナー２４で接合している。
【００５２】
固定具４０に用いるカシメはペンチ等で取り外すことが可能なため、靴本体７の消耗や靴底の摩耗により靴本体７を買い替えることになっても、ベルト２０等を買い替えた靴本体７に再度取り付けることができる。また、固定具４０は上述のようにカシメに限定されるものでは無いが、カシメはホームセンターや手芸店で市販されており、このようにベルト２０等の付け替えが必要になっても市販のものを代用することができるので好適である。
【００５３】
このようにすることで、靴１は、ベルト２０と固定部材３０とを靴紐の孔１６，１８に固定することができるので、市販の靴１に取り付けることができる。市販されている靴１は、紐靴が主流であるが、紐の代わりにベルト２０を用いることで紐靴のわずらわしさを解消して、使用者は靴１を容易に着脱することができる。特に前屈みになることや手指の巧緻動作が困難な人であっても専門機関に依頼することなく、最も豊富なデザインやサイズが用意されている市販の紐靴を好みに応じて購入することができるようになる。
【００５４】
特に、成長の速い子供の靴に本実施の形態を採用することで、その都度適切なサイズの靴を提供することが可能になる。さらに本件ベルトは紐靴であれば簡単に着脱できるため、好みの靴のデザインを選択することも可能であり、また別の靴に付け替えて使用することも容易である。
【００５５】
また、本実施の形態によれば、靴と足の密着度を高めるという機能的な面だけでなく、ベルト２０等の色を好みで替えることでファッション面でもオリジナリティを持つことができる。
【００５６】
さらに、もし、何かしらの理由によりベルト２０から紐靴に戻す場合でも、靴本体７に穴をあけていないので、外見上何も遜色なく紐靴として使用することが可能である。
【００５７】
また、面ファスナー２４を採用することにより、靴１を脱いだり履いたりすることが容易になる。ベルト２０を固定部材３０の長孔３２で折り返して先端部２８を引っ張ることで、内側縁部１２を外側縁部１４に近づけるように移動させることができるため、容易に使用者の足に靴１を密着させ、締め付けることができる。特に、２つの靴紐の孔１６，１８を一対の締結具２で締め付けることができるため、締め付け幅が広く、甲被４による足のホールド性も高い。
【００５８】
３．使用方法
図２及び図５を用いて、図３及び図４で示した靴１に締結具２を使用する方法について説明する。図５は、実施形態に係る締結具２の使用方法を説明するＶ−Ｖ断面図である。
【００５９】
図２に示すように、内側縁部１２の靴紐の孔１６に固定部材３０の貫通孔３６２を重ね合わせ、内側縁部１２の内面側から固定部材３０の外面側へ貫通する孔１６，３６２に、固定具４０をカシメで固定する。
【００６０】
また、外側縁部１４の靴紐の孔１８にはベルト２０の第１の固定部２６が固定具４０によって固定部材３０と同様に固定される。
【００６１】
図５に示すように、使用者は、ベルト２０の先端部２８を固定部材３０の環状部材３４の長孔３２に通して第１の固定部２６側へ折り返す。ここで、ベルト２０の第１の面２２は対向する面にフック部２４０とループ部２４２があるので、第１の面２２を重ね合わせることで面ファスナー２４が接合する。
【００６２】
使用者がベルト２０の先端部２８を第１の固定部２６側へ引っ張ることで、内側縁部１２と外側縁部１４とが引き寄せられ、甲被４が使用者の足により密着することができる。
【００６３】
４．切断する目印
図６は、実施形態に係る締結具２におけるベルト２０の背面図である。
【００６４】
ベルト２０は、第１の固定部２６とは反対側の先端部２８に、ベルト２０を切断するための目印が所定間隔で複数形成されている。
【００６５】
本実施形態では、目印が縫い目５０，５２，５４となっている。したがって、この縫い目５０，５２，５４に沿って切断すれば、ベルト２０の長さを使用者の足に合わせて容易に調節することができる。例えば、図４に示す例によれば、２対の締結具２の内、つま先側の方が足首側の方の締結具２よりも大きく締め付けることができるので、つま先側のベルト２０は第１の固定部２６を超えて先端部２８がはみ出すことがある。そのようなときは、縫い目５０，５２，５４の外側に沿ってベルト２０を切断することで、ベルト２０を適切な長さに調節することができる。
【００６６】
また、縫い目５０，５２，５４は、ベルト２０に面ファスナー２４を縫い付けるための縫い目の一部であることができる。このようにすることで、例えば縫い目５２の外側に沿ってベルト２０を切断しても、縫い目５０，５２が残っているため、先端部２８においてベルト２０から面ファスナー２４が剥がれることを防止することができる。
【００６７】
以上、本実施形態あるいは変形例について説明したが、本発明はこれら本実施形態ある
いは変形例に限られるものではなく、その要旨を逸脱しない範囲において種々の態様で実施することが可能である。
【００６８】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００６９】
１…靴、２…締結具、３…足入れ部、４…甲被、６…舌片、７…靴本体、１０…甲被開口部、１２…内側縁部、１４…外側縁部、１６…靴紐の孔、１８…靴紐の孔、２０…ベルト、２２…第１の面、２３…第２の面、２４…面ファスナー、２４０…フック部、２４２…ループ部、２６…第１の固定部、２６０…貫通孔、２６２…貫通孔、２８…先端部、３０…固定部材、３２…長孔、３４…環状部材、３６…第２の固定部、３６０…貫通孔、３６２…貫通孔、４０…固定具、４２…カシメ頭、４４…カシメ足、５０、５２、５４…縫い目、Ｓ…中心線
【図１】
0005844400.tif 000002
【図２】
0005844400.tif 000003
【図３】
0005844400.tif 000004
【図４】
0005844400.tif 000005
【図５】
0005844400.tif 000006
【図６】
0005844400.tif 000007